(57)【要約】【課題】高周波重畳における周波数と振幅を外部から設定・変更可能な記録再生装置を提供する。【解決手段】重畳波の振幅と周波数の設定・変更を外部入力装置からレジスタに書き込むことによって半導体レーザの戻り光によるノイズを低減することができる。また特定の記録再生装置と記録媒体とにおけるジッタ等を測定し、適切な制御値を保持することで、低コストで高精度な記録再生装置を提供する。【選択図】　　　　図１
2004110975.tif 000002
【特許請求の範囲】
【請求項１】
半導体レーザを記録媒体に照射して情報の読み取りと書き込みを行う光ピックアップにおいて、
光ディスクを駆動させる駆動手段と、
レーザダイオードの出力を制御する光量制御手段と、
レーザダイオード駆動電流に高周波電流を重畳する高周波重畳手段と、
前記高周波電流を外部から制御する高周波電流制御手段と、
前記高周波電流を制御する制御値を保持する制御値記憶手段と、
ジッタを計測するジッタ計測手段と、
ブロックエラーレートを計測するブロックエラーレート計測手段とを有することを特徴とする記録再生装置。
【請求項２】
前記高周波電流制御手段は、前記制御値をレジスタに書き込むことを特徴とする請求項１記載の記録再生装置。
【請求項３】
前記高周波電流の振幅を外部から設定する振幅設定手段を有することを特徴とする請求項２記載の記録再生装置。
【請求項４】
前記高周波電流の周波数を外部から設定する周波数設定手段を有することを特徴とする請求項２記載の記録再生装置。
【請求項５】
前記制御値記憶手段は、記録媒体毎の最適な制御値を保持することを特徴とする請求項３または４記載の記録再生装置。
【請求項６】
前記制御値記憶手段は、記録再生装置と記録媒体との組み合わせにおける最適な制御値を保持することを特徴とする請求項３または４記載の記録再生装置。
【発明の詳細な説明】
【０００１】
【発明の属する技術分野】
本発明は、光ディスクからの反射光により発生する戻り光ノイズ等のノイズを低減するための高周波重畳機構を有する記録再生装置に関する。
【０００２】
【従来の技術】
一般的な光ピックアップの構成をしめす（図６）。
半導体レーザユニット６０１からの光束は対物レンズ６０２により集光され光ディスク６０３上に微小なスポットとして照射される。光ディスク６０３からの反射光は対物レンズ６０２とダイクロックプリズム６０５を介し、半導体レーザユニット６０１の内部に再び戻ってくる。半導体レーザユニット６０１の内部に戻ってきた光ディスク６０３からの反射光は、半導体レーザユニット６０１に取り付けられたホログラム素子により回折されアンプ内蔵型受光素子に集光、演算され制御信号、記録、再生信号として検出されこれによってスポットの位置制御を行う。スポットの位置制御は対物レンズ６０２を搭載しているアクチュエータにフィードバックされ、フォーカス方向、トラック方向を可動して行っている。また、このとき半導体レーザユニット６０１からの光束の一部はアンプ内蔵型前方受光素子６０４に導かれ、半導体レーザ出力制御に用いられる。
半導体レーザの駆動は専用のＩＣによって行われ、前記専用ＩＣにはＬＤ駆動電流に数百ＭＨｚの高周波を重畳させるオシレータを内蔵しており、読み込み時にこれを動作させ半導体レーザをマルチモード化して戻り光に対するノイズを低減させている。
【０００３】
一般的に、光ディスクドライブにおいては、特に読み出し時において半導体レーザに高周波を重畳させることにより、読み出し性能を向上させている。図７に示すように、高周波重畳の設定は周波数と振幅との組み合わせによって決定され、これらの条件によって読み出し性能が左右される。横軸の振幅１〜振幅５は光ディスクドライブによって細かな数値が変わることを表現している。
【０００４】
前記高周波重畳の設定は周波数と振幅に分かれており、おのおの独立した外付けのチップ抵抗によってこれらの設定の変更をしている。
【０００５】
半導体レーザに高周波を重畳させる例として、特許文献１では、高周波変調の割合を高周波電流振幅で制御することにより諸条件の変化に対応し、ノイズの発生を抑えている。特許文献２では、スティル（Ｓｔｉｌｌ）動作においてデータの劣化を防止することを目的に高周波重畳を行う。特許文献３では、消費電力、発熱量を抑えた高周波電流重畳回路を提供している。
【０００６】
【特許文献１】
特開平６―２７４９２１号公報
【特許文献２】
特開平１０―４９８９９号公報
【特許文献３】
特開平１０―２４７３２９号公報
【０００７】
【発明が解決しようとする課題】
しかしながら、従来の設定方法は、数台の先行サンプルにおいて最適値を確認し、製品全体に反映していたためドライブを構成する個々のバラツキ要因（ＬＤ、回路、ロット）により、必ずしも最適ではない場合が存在し、結果ドライブ性能にバラツキが見られた。
また、フレキシブルな対応が不可能であり、設定が固定チップ抵抗であるため、重畳の条件を大きく左右するＬＤのメーカーを複数選択することができず、コスト的にも不利であった。
【０００８】
本件はこのような問題を鑑みて、高周波重畳の設定をレジスタにて変更できるＬＤドライバを使用するとともに、その設定方法、運用方法によって、低コスト、高精度の記録再生装置を提供するものである。
【０００９】
【課題を解決するための手段】
上記課題を解決するために、請求項１記載の発明は、半導体レーザを記録媒体に照射して情報の読み取りと書き込みを行う光ピックアップにおいて、光ディスクを駆動させる駆動手段と、レーザダイオードの出力を制御する光量制御手段と、　レーザダイオード駆動電流に高周波電流を重畳する高周波重畳手段と、上記高周波電流を外部から制御する高周波電流制御手段と、上記高周波電流を制御する制御値を保持する制御値記憶手段と、ジッタを計測するジッタ計測手段と、ブロックエラーレートを計測するブロックエラーレート計測手段とを有することを特徴とする。
【００１０】
請求項２記載の発明は、請求項１記載の記録再生装置において、上記高周波電流制御手段は、上記制御値をレジスタに書き込むことを特徴とする。
【００１１】
請求項３記載の発明は、請求項２記載の記録再生装置において、上記高周波電流の振幅を外部から設定する振幅設定手段を有することを特徴とする。
【００１２】
請求項４記載の発明は、請求項２記載の記録再生装置において、上記高周波電流の周波数を外部から設定する周波数設定手段を有することを特徴とする。
【００１３】
請求項５記載の発明は、請求項３または４記載の記録再生装置において、上記制御値記憶手段は、記録媒体毎の最適な制御値を保持することを特徴とする。
【００１４】
請求項６記載の発明は、請求項３または４記載の記録再生装置において、上記制御値記憶手段は、記録再生装置と記録媒体との組み合わせにおける最適な制御値を保持することを特徴とする。
【００１５】
【発明の実施の形態】
本発明における第一の実施例を以下に説明する。
本発明の構成を図１に示す。基本構成は、ＬＤドライバ内にあるレジスタの設定によって、上記高周波重畳の周波数と振幅とを独立で変更できるＬＤドライブＩＣと、設定の評価を行うためにドライブ上でジッタまたはブロックエラーレートを計測する手段を有している。レジスタは外部から書き込みを行えるように、外部入力装置と接続されている。ジッタまたはブロックエラーレートの計測はＲＦ信号のエンコード、デコードを行っているデジタル信号処理ＬＳＩにより行う。
図２にレジスタ設定に対する重畳波の振幅を示す。図３にはレジスタ設定に対する重畳波の周波数を示す。
【００１６】
前記高周波重畳の周波数と振幅の組み合わせは、あらかじめいくつかパターンがメモリに保有されている。保有されている設定パターンの中でブロックエラーレートは最小値を、ジッタならば１０％以下を評価の基準とする。
【００１７】
ディスク挿入時毎回、またはディスクの基盤厚みごとに一度だけそれらパターンの設定にて、ジッタ、またはブロックエラーレートを計測し、振幅と周波数の最良の組み合わせを選択し、設定をＲＯＭ内にある設定パラメータを保存してあるアドレスに保存する。最良の組み合わせとは、ジッタまたはブロックエラーレートが最小となるものである。
【００１８】
以後はこの設定値にてディスクの読み出しを行う。
結果、複数の種類のメディアに対して、記録再生装置ごとに最適の組み合わせが選択でき高精度の記録再生装置を提供できる。
【００１９】
以下第二の実施例を説明する。
記録再生装置上で完結した最適プロセスを踏まずに、あらかじめ求められた、素子メーカーごと、あるいはロットごとの最適値を入力する事により最適化を図る。この場合最適化とは、ジッタまたはブロックエラーレートが最小となる設定を予め設計段階で把握しておき、その設定値をＲＯＭ内にある設定パラメータを保存してあるアドレスに保存することである。
【００２０】
図４のフローチャートで説明する。
光源のデータを読み込む（ステップ４０１）。振幅・周波数の値が格納されたテーブルを読み込む（ステップ４０２）。最適な設定を選ぶ（ステップ４０３）。使用する光源すべてについて同様の作業を行う（ステップ４０４）。最適な振幅・周波数をメモリに記憶する（ステップ４０５）。
このことにより、記録再生装置に余分な機能を付加することなく、また、マウント時間の短縮を達成するとともに、最適値を確保し、高精度の記録再生装置を提供できる。
【００２１】
以下第三の実施例を説明する。
記録再生装置上で完結した最適プロセスを踏まずに、記録再生装置外部の計測装置によって、例えば調整工程などで個々の装置ごとの最適設定値を求め、記録再生装置内部のメモリ保存する。ここで調整工程とは、ドライブ内にある計測システムを使わず（または計測システムがない）ドライブから取り出した信号を外部の計測システムに入力し、外部より設定値を変化させ最適値を求めることである。求めた設定値はドライブ内部のＲＯＭ内にある設定パラメータを保存してあるアドレスに保存する。
【００２２】
図５のフローチャートを用いて説明する。
サーボ系をオンにする（ステップ５０１）。設定テーブルからデータを読み込む（ステップ５０２）。重畳波を射出する（ステップ５０３）。ジッタを計測する（ステップ５０４）。すべてのパターンに対して同様の作業を繰り返す（ステップ５０５／ＮＯ）。すべてのパターンを測定し終わったら最適値を選ぶ（ステップ５０６）。使用する波長別にこれを繰り返す（ステップ５０７／ＮＯ）。すべての波長に対して最適値を決定したら（ステップ５０７／ＹＥＳ）、メモリに格納する（ステップ５０８）。
【００２３】
このことにより、記録再生装置に余分な機能を付加することなく、また、マウント時間の短縮を達成するとともに、最適値を確保し、高精度の記録再生装置を提供できる。
【００２４】
【発明の効果】
従来の記録再生装置においては、高周波重畳の設定はＬＤドライブＩＣ外の回路常数によって行っておりフレキシブルな対応が不可能であった。そのため、限られたサンプルでの代表値により高周波重畳の設定を行っており、ドライブによってはジッタ等が悪化する傾向が確認されていた。
本発明は、レジスタの設定により高周波重畳をコントロールすることにより、おのおの個々のドライブに対応した最適な高周波重畳の設定を得ることができ、高精度な記録再生装置の提供ができる。
【図面の簡単な説明】
【図１】本発明の構成を示す図である。
【図２】レジスタにおける振幅入力に対する重畳波の応答を示す図である。
【図３】レジスタにおける周波数入力に対する重畳波の応答を示す図である。
【図４】第二の実施例におけるフローチャートである。
【図５】第三の実施例におけるフローチャートである。
【図６】一般的な光ピックアップの構成を示す図である。
【図７】高周波重畳における周波数と振幅が読み出しの性能を左右することを示す図である。
【符号の説明】
６０１　アンプ内蔵受光素子付きホログラムレーザユニット
６０２　対物レンズ
６０３　ディスク
６０４　アンプ内蔵受光素子付きフロントモニタ
６０５　ダイクロックプリズム
【図１】
2004110975.tif 000003
【図２】
2004110975.tif 000004
【図３】
2004110975.tif 000005
【図４】
2004110975.tif 000006
【図５】
2004110975.tif 000007
【図６】
2004110975.tif 000008
【図７】
2004110975.tif 000009